(57)【要約】      （修正有）【課題】解体建物の工事現場等に構築される仮囲い構造物の防音用として組み立て施工が簡略容易で、また、解体作業が極めて簡略容易であり、かつ、当該現場で使用される例えば防音パネルが一部破損したような場合でも、破損個所を除外して残余の健全箇所の再利用も簡単容易である解体工事現場等において用いる仮囲い構造物を提供する。【解決手段】支柱１０に固定具であるクランプ３１を介して垂直配置に固定されるとともに、複数の支柱の列設方向で対向する垂直方向の複数の防音パネル用等の嵌合溝部を設けた複数のパネルフレーム２と、前記嵌合溝部に対して垂直積み上げ式で、かつ、着脱可能に嵌合されて前記隣り合うパネルフレーム間の空間を閉塞する複数の防音パネルと、を有し、前記複数の支柱、複数のパネルフレームの配置間隔変更により、防音パネルの規格外幅寸法への変更にも対応可能である。【選択図】図１
0003232754.tif 000002
【実用新案登録請求の範囲】
【請求項１】
解体工事現場等において用いる仮囲い構造物であって、
仮囲い構造物の複数の支柱に固定具を介して固定されるとともに、対向する複数の防音パネル用等の嵌合溝部を有する複数のパネルフレームと、
前記各パネルフレームにおける対向する防音パネル用等の嵌合溝部に対して着脱可能に嵌合され、前記各パネルフレームにおける対向する防音パネル用等の嵌合溝部に対して着脱可能に嵌合され、前記隣り合うパネルフレーム間の空間を閉塞する複数の防音パネルと、
を有することを特徴とする解体工事現場等において用いる仮囲い構造物。
【請求項２】
解体工事現場等において用いる仮囲い構造物であって、
仮囲い構造物の複数の垂直配置の支柱に固定具を介して垂直配置に固定されるとともに、複数の支柱の列設方向で対向する垂直方向の複数の防音パネル用等の嵌合溝部を設けた複数のパネルフレームと、
前記各パネルフレームにおける対向する防音パネル用等の嵌合溝部に対して垂直積み上げ式で、かつ、着脱可能に嵌合され、前記隣り合うパネルフレーム間の空間を閉塞する複数の防音パネルと、
を有することを特徴とする解体工事現場等において用いる仮囲い構造物。
【請求項３】
前記複数の支柱、複数のパネルフレームの配置間隔を変更することにより、隣り合うパネルフレーム間の空間を閉塞する防音パネルの規格外幅寸法への変更に対応可能としたことを特徴とする請求項１又は２記載の解体工事現場等において用いる仮囲い構造物。
【請求項４】
前記防音パネルは、これに代替して、解体工事等の各種工事現場で用いて耐えられるような丈夫な材質で形成され、各パネルフレーム間で動かないように配置されるようにしたシートであることを特徴とする請求項１又は２記載の解体工事現場等において用いる仮囲い構造物。
【考案の詳細な説明】
【技術分野】
【０００１】
本考案は、解体工事現場等において用いる仮囲い構造物に関し、詳しくは、解体建物の工事現場等に構築される仮囲い構造物の防音用として組み立て施工が簡略容易で、また、解体作業が極めて簡略容易であり、かつ、当該現場で使用される例えば防音パネルが一部破損したような場合でも、破損個所を除外して残余の健全箇所の再利用も簡単容易である解体工事現場等において用いる仮囲い構造物に関するものである。
【背景技術】
【０００２】
従来の仮囲い構造物等に用いられる防音パネル１０１は、図８に示すように、パネル部１０２の外周がアルミフレーム１０３で覆われ、組み上がった状態で販売され使用しているのが通常である。
【０００３】
このため、防音パネル１０１が一部破損したような場合でも、修理が困難で、全損となる場合が現状である。
【０００４】
更に付言すると、従来、例えば解体工事現場等においては、解体時に発生するコンクリート片が防音パネル１０１に衝突したような場合、既存の防音パネル１０１は例えば二つ爪のクランプで保持されているため、コンクリート片の衝突による力が一点に作用してしまい、この結果、防音パネル１０１の一部破損が生じてしまう。
【０００５】
特許文献１には、本考案に関連する技術として、並設された複数の支柱において、高さが高い第１部位及び前記第１部位よりも高さが低い第２部位に対して第１レール支持装置及び第２レール支持装置がそれぞれ着脱自在に取り付けられ、前記第１レール支持装置及び第２レール支持装置のうち、相互に隣接する第１レール支持装置との間及び第２レール支持装置との間には、前記第１レール支持装置及び前記第２レール支持装置にそれぞれ支持された第１レール部材及び第２レール部材が架設され、前記第１レール部材及び前記第２レール部材との間に、複数のパネルの上端及び下端がそれぞれスライド自在に配置されて、前記複数のパネルのうち、前記第１レール支持装置及び第２レール支持装置に相対するパネルは、該第１レール支持装置及び第２レール支持装置にそれぞれ取り付けられた締結部材にて締結解除可能に締結されている構成のパネルの取付構造が開示されている。
【０００６】
しかし、特許文献１のパネルの取付構造の場合、第１レール支持装置及び第２レール支持装置を必須の構成とするとともに、複数のパネルのうち、前記第１レール支持装置及び第２レール支持装置に相対するパネルは、第１レール支持装置及び第２レール支持装置にそれぞれ取り付けられた蝶状ナットのような締結部材にて締結解除可能に締結される煩雑な構成である。
【０００７】
また、特許文献１のパネルの取付構造の場合、複数のパネルのうちの一部のパネルが破損したような場合、第１レール支持装置及び第２レール支持装置間の間隔が定まっているため、そのパネルの健全な箇所の再利用は困難である。
【先行技術文献】
【特許文献】
【０００８】
【特許文献１】特開２０２１−１１７４９号公報
【考案の概要】
【考案が解決しようとする課題】
【０００９】
本考案は、従来における上記事情に鑑みて開発されたものであり、例えば解体建物の工事現場等に構築される仮囲い構造物の防音用として組み立て施工が簡略容易で、また、解体作業が極めて簡略容易であり、かつ、防音パネルが一部破損したような場合でも、破損個所を除外して残余の健全箇所の再利用も簡単容易である解体工事現場等において用いる仮囲い構造物を提供するものである。
【課題を解決するための手段】
【００１０】
本考案の解体工事現場等において用いる仮囲い構造物は、仮囲い構造物の複数の支柱に固定具を介して固定されるとともに、列設方向で対向する複数の例えば防音パネル用等の嵌合溝部を設けた複数のパネルフレームと、前記各パネルフレームにおける対向する防音パネル用等の嵌合溝部に対して着脱可能に嵌合されて前記各パネルフレームにおける対向する防音パネル用等の嵌合溝部に対して着脱可能に嵌合される前記隣り合うパネルフレーム間の空間を閉塞する複数の防音パネルと、を有することを最も主要な特徴とする。
【考案の効果】
【００１１】
請求項１記載の考案によれば、例えば解体建物の工事現場等に構築される仮囲い構造物の防音用として組み立て施工が簡略容易で、また、解体作業が極めて簡略容易である解体工事現場等において用いる仮囲い構造物を実現し、提供することができる。
【００１２】
請求項２記載の考案によれば、垂直積み上げ式で、組み立て構造でもって、解体施工が極めて簡略容易である解体工事現場等において用いる仮囲い構造物を実現し、提供することができる。
【００１３】
請求項３記載の考案によれば、請求項１又は２記載の考案において前記複数の支柱、複数のパネルフレームの配置間隔を変更することにより、隣り合うパネルフレーム間の空間を閉塞する防音パネルの規格外幅寸法への変更に対応可能な効果を奏し、例えば防音パネルが一部破損したような場合でも、破損個所を除外して残余の健全箇所の再利用も簡単容易となる解体工事現場等において用いる仮囲い構造物を実現し、提供することができる。
【００１４】
請求項４記載の考案によれば、請求項１又は２記載の考案における前記防音パネルに代替して、解体工事等の各種工事現場で用いて耐えられるような丈夫な材質で形成され、各パネルフレーム間で動かないように配置されるようにしたシートでもって、請求項１又は２記載の考案の効果を奏する解体工事現場等において用いる仮囲い構造物を実現し、提供することができる。
【図面の簡単な説明】
【００１５】
【図１】図１は本考案の実施例に係る解体工事現場等において用いる仮囲い構造物の全体構成を示す概略斜視図である。
【図２】図２は本実施例に係る解体工事現場等において用いる仮囲い構造物におけるパネルフレームを示す一部省略概略斜視図である。
【図３】図３は本実施例に係る解体工事現場等において用いる仮囲い構造物におけるパネルフレームを示す概略端面図である。
【図４】図４は本実施例に係る解体工事現場等において用いる仮囲い構造物における固定具であるクランプ、及び、パネルフレームの連結構造を示す概略斜視図である。
【図５】図５は本実施例に係る解体工事現場等において用いる仮囲い構造物における防音パネルの一例の概略平面図である。
【図６】図６は本実施例に係る解体工事現場等において用いる仮囲い構造物における防音パネルのパネルフレームに対する嵌合態様を示す概略斜視図である。
【図７】図７は本実施例に係る解体工事現場等において用いる仮囲い構造物における変形例を示す概略斜視図である。
【図８】図８は従来の防音パネルの概略平面図である。
【考案を実施するための形態】
【００１６】
本考案は、例えば解体建物の工事現場等に構築される仮囲い構造物の防音用として組み立て施工が簡略容易で、また、解体作業が極めて簡略容易であり、かつ、防音パネルが一部破損したような場合でも、破損個所を除外して残余の健全箇所の再利用も簡単容易である解体工事現場等において用いる仮囲い構造物を実現し提供するという目的を、仮囲い構造物の複数の垂直配置の支柱に固定具を介して垂直配置に固定されるとともに、複数の支柱の列設方向で対向する垂直方向の複数の防音パネル用等の嵌合溝部を設けた複数のパネルフレームと、前記各パネルフレームにおける対向する防音パネル用等の嵌合溝部に対して垂直積み上げ式構造で、かつ、着脱可能に嵌合されて前記隣り合うパネルフレーム間の空間を閉塞する複数の防音パネルと、を有し、前記複数の支柱、複数のパネルフレームの配置間隔を変更することにより、防音パネルの規格外幅寸法への変更にも対応可能な構成により実現した。
【実施例】
【００１７】
以下、図面を参照して、本考案の実施例に係る解体工事現場等において用いる仮囲い構造物について詳細に説明する。
【００１８】
本実施例に係る解体工事現場等において用いる仮囲い構造物１は、パネルフレーム２と防音パネル２１とを別体で構成するとともに、足場材を構成する支柱１０にパネルフレーム２を固定設置後、パネルフレーム２に設けた防音パネル用等の嵌合溝部３に対して例えば合成樹脂板からなる軽量の防音パネル２１を嵌め込んで仮囲い構造物１を施工することが最大の特徴である。
【００１９】
以下、本実施例に係る解体工事現場等において用いる仮囲い構造物１について詳述する。
【００２０】
本実施例に係る解体工事現場等において用いる仮囲い構造物１は、図１に示すように、仮囲い構造物の複数の垂直配置の支柱１０、１０に固定具であるクランプ３１、３１を介して垂直配置に固定されるとともに、複数の各支柱１０、１０の列設方向で対向する垂直方向の複数の防音パネル２１用等の嵌合溝部３、３を設けた複数のパネルフレーム２、２と、前記各パネルフレーム２、２における対向する防音パネル用等の嵌合溝部３、３に対して垂直積み上げ式で、かつ、着脱可能に嵌合され、前記隣り合うパネルフレーム２、２間の空間を閉塞する例えば合成樹脂板からなる複数の防音パネル２１と、を有している。
【００２１】
図２、図３は、前記パネルフレーム２の構成を示すものであり、前記パネルフレーム２は、全体として長尺構造で、一端側に一対の略Ｃ状を呈する防音パネル用等の嵌合溝部３、３を全長にわたって備える一対の部分開口円筒部４、４を具備して、一対の部分開口円筒部４、４を基端連結部４ａにより全長にわたって一体化している。
【００２２】
また、基端連結部４ａの他端側にはクランプ３１用の受け凹部５を全長にわたって形成している。
【００２３】
図４は、固定具である前記クランプ３１とパネルフレーム２との連結構造を示すものであり、クランプ３１は、クランプ基部３２の両側に支柱１０用の支柱嵌め付部３３と、この支柱嵌め付部３３と一体のパネルフレーム連結部３４とを具備している。
【００２４】
すなわち、支柱嵌め付部３３は、クランプ基部３２に対して開閉可能に配置され、クランプ基部３２とともに支柱１０の外周部を挟み込むフック片３５と、クランプ基部３２から立設した支柱側ボルト３６と、この支柱側ボルト３６に螺合するナット３７とを具備している。
【００２５】
そして、前記フック片３５により支柱１０の外周部を挟み込んだ後先端側に設けた穴部を前記支柱側ボルト３６に挿通させ、この状態で前記ナット３７を支柱側ボルト３６に螺合し締め付けることで、支柱嵌め付部３３を支柱１０の所定の箇所に固定連結する構成としている。
【００２６】
一方、前記パネルフレーム連結部３４は、前記クランプ基部３２に対して支柱嵌め付部３３とは反対向きに突設した連結体３８と、該連結体３８の先端に設けた直方体形状の固定板３９と、連結体３８と固定板３９との間に設けたロックリング４０とを具備し、前記固定板３９を前記パネルフレーム２の受け凹部５内の所定箇所まで差し込んだ後、前記ロックリング４０を回動操作することで、前記クランプ３１によりパネルフレーム２を前記クランプ３１の近傍位置で固定支持するように構成している。
【００２７】
図５は、防音パネル２１の一例の概略平面を示すものであり、防音パネル２１は、表面板面材としてポリカーボネート材を用いて構成したもので、光線透過性、耐衝撃性、耐熱性、耐寒性に優れ、自消性も有し、極めて有用な機能を発揮する。
【００２８】
図６は、本実施例に係る解体工事現場等において用いる仮囲い構造物１における一枚の防音パネル２１の隣り合うパネルフレーム２、２に対する嵌合態様を示すものである。
【００２９】
すなわち、前記防音パネル２１を隣り合うパネルフレーム２、２における防音パネル用等の嵌合溝部３、３に上部より嵌め込んでいき、このような操作を複数の防音パネル２１について垂直積み上げ式で繰り返し行い、隣り合うパネルフレーム２、２間の空間を閉塞することで施工性良く、防音壁を構築していくものである。当該構築された防音壁は、防音の他、防塵、防風の作用、効果も発揮する。
【００３０】
また、このような防音壁の構築態様はパネルフレーム２の列設個数に応じて所要回数繰り返される。
【００３１】
更に、上述した本実施例に係る解体工事現場等において用いる仮囲い構造物１によれば、隣り合うパネルフレーム２、２間において垂直積み上げ式で隙間なく防音パネル２１を設置することが可能となる。
【００３２】
加えて、上述した本実施例に係る解体工事現場等において用いる仮囲い構造物１によれば、例えば規格外の寸法幅の防音パネル２１でも、パネルフレーム２の設置幅を変更すれば設置可能である。
【００３３】
例えば、規格サイズ１８００ｍｍ幅の防音パネル２１の一部分が破損した場合でも、９００ｍｍ、６００ｍｍ幅に切断しパネルフレーム２の設置幅を変更することで当該防音パネル２１の一部を再使用することが可能となる。
【００３４】
更に、本実施例に係る解体工事現場等において用いる仮囲い構造物１について付言すれば、例えば足場解体時においてパネルフレーム２の下部に敷設されるレール材を外すことにより、パネルフレーム２、２の下部側から防音パネル２１を抜き出し撤去することもできる。
【００３５】
また、解体工事現場で発生するコンクリート片が防音パネル２１に衝突したような場合本実施例に係る解体工事現場等において用いる仮囲い構造物１によれば、パネルフレーム２を介して支柱１０に衝突力が作用し、衝突力が分散することになり、安全性の向上を図ることもできる。
【００３６】
この他、前記防音パネル２１を、ポリカーボネート材を含む合成樹脂板とすれば、従来品に比べて軽量とすることができ、安全性の向上、取り扱い性の向上に寄与することができる。
【００３７】
なお、上述した実施例では、主に垂直積み上げ式の防音パネル構造１について説明したが、この他、前記隣り合うパネルフレーム２、２を水平方向に間隔をおいて配置し、水平横方向から防音パネル２１を嵌め込む構成とすることも可能である。
【００３８】
図７は、本考案の解体工事現場等において用いる仮囲い構造物の変形例を示すものである。
【００３９】
図７に示す変形例は、上述した図１乃至図６に示す実施例において、防音パネル２１に代替してシート２１ａを使用したもので、その他の各構成は図１乃至図６に示す実施例と同じである。また、その使用方法も前記図１乃至図６に示す実施例と同様である。
【００４０】
すなわち、図７の変形実施例は、防音パネル２１に代替してシート２１ａを使用し、このシート２１ａを、間隔をおいて隣り合って配置したパネルフレーム２、２の防音パネル用等の嵌合溝部３、３の夫々上方からシート２１ａの両端を嵌め込む構成として使用するようにしたものである。
【００４１】
シート２１ａは、ある程度の防音性を有し、解体工事等の各種工事現場で用いて耐えられるような丈夫な材質で形成されているものであれば良く、また、シート２１ａの両端には、防音パネル用等の嵌合溝部３、３に簡易に嵌め込み易くするためにロープ状部材２１ｃ等が装着されている。また、シート２１ａの四隅の穴２１ｂは、シート２１ａを防音パネル用等の嵌合溝部３、３に嵌め込んだ後、当該シート２１ａをパネルフレーム２、２間で動かないようにするために、適宜の紐等を四隅の穴２１ｂに挿通して支柱１０やパネルフレーム２に締着するための穴である。
【００４２】
なお、シート２１ａの上・下辺には、上方に位置して配置されたシート２１ａと、その下方に位置して配置されたシート２１ａとを、夫々安定して使用できるようにするために適当な間隔でもって穴（図示せず）を設けて、当該上・下の各穴を紐等でもって締着するようにしても良い。
【００４３】
上述した変形例に係る解体工事現場等において用いる仮囲い構造物によっても、前記した図１乃至図６に示す上述した実施例の解体工事現場等において用いる仮囲い構造物と同様に、組み立て施工が簡略容易で、また、解体作業が極めて簡略容易である構造の効果を奏することができる。
【００４４】
また、上述のようにして構築されたシート壁は、ある程度の防音の他、防塵、防風の作用、効果を発揮できる。
【産業上の利用可能性】
【００４５】
本考案に係る解体工事現場等において用いる仮囲い構造物は、各種解体工事現場の他、ビルディング等の建設工事現場、ダム工事やトンネル工事等の各種の土木工事現場のような対象箇所に関して広範に利用可能である。
【符号の説明】
【００４６】
１    解体工事現場等において用いる仮囲い構造物
２    パネルフレーム
３    防音パネル用等の嵌合溝部
４    部分開口円筒部
４ａ  基端連結部
５    受け凹部
１０    支柱
２１    防音パネル
２１ａ  シート
２１ｂ  穴
２１ｃ  ロープ状部材
３１    クランプ
３２    クランプ基部
３３    支柱嵌め付部
３４    パネルフレーム連結部
３５    フック片
３６    支柱側ボルト
３７    ナット
３８    連結体
３９    固定板
４０    ロックリング４０
【図１】
0003232754.tif 000003
【図２】
0003232754.tif 000004
【図３】
0003232754.tif 000005
【図４】
0003232754.tif 000006
【図５】
0003232754.tif 000007
【図６】
0003232754.tif 000008
【図７】
0003232754.tif 000009
【図８】
0003232754.tif 000010